(57)【要約】【課題】複数の記録層を有する光記録媒体の各記録層へのフォーカス引き込み動作を迅速にすることである。【解決手段】本発明にかかる光記録媒体再生装置は、複数の記録層が積層された光記録媒体５０の記録層にレーザ光１５を収束する収束部１４と、記録層で反射された反射光に基づき記録層の記録密度に対応した再生クロックを生成する再生クロック生成部２１と、生成された再生クロックのクロック周波数に基づきレーザ光１５が収束されている記録層を特定する記録層特定部２２と、を有する。【選択図】図１
2011108318.tif 000002
【特許請求の範囲】
【請求項１】
複数の記録層が積層された光記録媒体であって、
前記各々の記録層はそれぞれ異なる記録密度で情報が記録されている、光記録媒体。
【請求項２】
前記各々の記録層はそれぞれ異なる記録線密度で情報が記録されている、請求項１に記載の光記録媒体。
【請求項３】
複数の記録層が積層された光記録媒体の記録層にレーザ光を収束する収束部と、
前記記録層で反射された反射光に基づき前記記録層の記録密度に対応した再生クロックを生成する再生クロック生成部と、
前記生成された再生クロックのクロック周波数に基づき前記レーザ光が収束されている記録層を特定する記録層特定部と、
を有する光記録媒体再生装置。
【請求項４】
前記再生クロック生成部は、前記記録層に形成されたピットの単位ピット長に対応したクロック周波数の再生クロックを生成する、請求項３に記載の光記録媒体再生装置。
【請求項５】
前記収束部は、初期状態において前記光記録媒体が備える複数の記録層のうちの最外面の記録層と最内面の記録層とに挟まれた位置に前記レーザ光を収束する、請求項３または４に記載の光記録媒体再生装置。
【請求項６】
前記収束部は、前記光記録媒体の前記記録層の間隔に基づいて前記レーザ光が収束される位置を調整する、請求項３乃至５のいずれか一項に記載の光記録媒体再生装置。
【請求項７】
前記収束部が前記記録層にレーザ光を収束する際の前記レーザ光の焦点の移動距離は、前記記録層の間隔以内である、請求項６に記載の光記録媒体再生装置。
【請求項８】
前記記録層特定部は、前記再生クロックのクロック周波数と前記記録層とを対応づけたテーブルを有し、当該テーブルを参照して前記レーザ光が収束されている記録層を特定する、請求項３乃至７のいずれか一項に記載の光記録媒体再生装置。
【請求項９】
前記記録層特定部は、更に前記光記録媒体の回転数を用いて、前記レーザ光が収束されている記録層を特定する、請求項３乃至８のいずれか一項に記載の光記録媒体再生装置。
【請求項１０】
前記記録層で反射された反射光に基づき再生データを生成する再生データ生成部を更に有する、請求項３乃至９のいずれか一項に記載の光記録媒体再生装置。
【請求項１１】
複数の記録層が積層された光記録媒体の記録層にレーザ光を収束する収束部と、
前記記録層で反射された反射光に基づき、前記レーザ光が収束されている記録層を検出する記録層検出部と、
前記検出された記録層に対応した記録密度となるようなクロックを生成するクロック生成部と、
前記検出された記録層に情報を書き込む際に、前記クロック生成部で生成されたクロックでレーザ光を駆動する光源駆動部と、
を有する光記録媒体記録装置。
【請求項１２】
前記記録層検出部は、前記光記録媒体に埋め込まれたウォブル信号に基づき前記レーザ光が収束されている記録層を検出する、請求項１１に記載の光記録媒体記録装置。
【請求項１３】
前記クロック生成部は、前記検出された記録層に応じた記録密度となる単位ピット長のピットを形成するクロック周波数を有するクロックを生成する、請求項１１または１２に記載の光記録媒体記録装置。
【請求項１４】
前記クロック生成部は、前記記録層と生成するクロックのクロック周波数とを対応づけたテーブルを有し、当該テーブルを参照して前記クロックを生成する、請求項１１乃至１３のいずれか一項に記載の光記録媒体記録装置。
【請求項１５】
前記光記録媒体の回転数を検出する回転数検出部を更に有する、請求項１１乃至１４のいずれか一項に記載の光記録媒体記録装置。
【請求項１６】
複数の記録層が積層された光記録媒体の記録層にレーザ光を収束し、
前記記録層で反射された反射光に基づき前記記録層の記録密度に対応した再生クロックを生成し、
前記生成された再生クロックのクロック周波数に基づき前記レーザ光が収束されている記録層を特定する、光記録媒体の再生方法。
【請求項１７】
複数の記録層が積層された光記録媒体の記録層にレーザ光を収束し、
前記記録層で反射された反射光に基づき、前記レーザ光が収束されている記録層を検出し、
前記検出された記録層に対応する記録密度となるようなクロックを生成し、
前記生成されたクロックでレーザ光を駆動し、前記検出された記録層に情報を書き込む、光記録媒体の記録方法。
【発明の詳細な説明】
【技術分野】
【０００１】
本発明は、光記録媒体、光記録媒体再生装置、及び光記録媒体記録装置に関し、特に複数の記録層を有する光記録媒体、及びこの光記録媒体の再生装置、記録装置に関する。
【背景技術】
【０００２】
ＤＶＤに代表される光記録媒体を用いた光記録媒体記録／再生装置は、映像や音声の記録／再生や情報処理装置のデータの記録／再生などに広く用いられている。特に近年では、光記録媒体の記憶容量を増加させるために、複数の記録層を備えた光記録媒体が実用化されている。このような複数の記録層を備えた光記録媒体に記録されたデータを再生する場合や、光記録媒体にデータを記録する際は、光記録媒体に照射されているレーザ光の焦点を対象となる記録層に合わせる必要がある。つまり、フォーカス引き込みの動作が必要となる。
【０００３】
特許文献１には、光記録媒体が有する複数の記録層のうち、対象となる記録層に焦点を合わせる技術が開示されている。図９は特許文献１に開示されている光記録媒体の各記録層に焦点を合わせる技術を説明するための図である。図９（ａ）は、レーザ光と光記録媒体の位置関係（ＵＰ／ＤＯＷＮ）と、このときのフォーカスエラー信号（ＦＥ信号）を示している。ここで、ＵＰはレーザ光が光記録媒体に近づく場合、ＤＯＷＮはレーザ光が光記録媒体から離れる場合である。また、図９（ｂ）は、レーザ光（ＣＤのビーム１０１、ＤＶＤのビーム１０２）と光記録媒体の記録層（１層目Ｌ０、２層目Ｌ１）との位置関係を示す図である。このとき、図９（ｂ）の各レーザ光の位置に示した符号（Ａ、Ｂ、Ｃ等）は、図９（ａ）のＦＥ信号に付した符号と対応している。
【０００４】
特許文献１にかかる技術では、複数の記録層（１層目Ｌ０、２層目Ｌ１）の位置情報を取得するために、次のような方法を用いている。まず、レーザ光の位置を光記録媒体から最も離れた最離間点Ａに移動する。この位置では、レーザ光の焦点は光記録媒体に合っていない。次に、レーザ光の位置をＢに移動する。この位置では、ＣＤのビーム１０１の焦点が光記録媒体の表面に達し、表面の保護膜のＳ字が検出される。次に、レーザ光の位置をＣに移動する。この位置では、ＣＤのビーム１０１の焦点が光記録媒体の第１層目の記録層に到達し、第１層目の記録層のＳ字（Ｐ１）が検出される。次に、レーザ光の位置をＤに移動する。この位置では、ＣＤのビーム１０１の焦点が光記録媒体の第２層目の記録層に到達し、第２層目の記録層のＳ字（Ｐ２）が検出される。
【０００５】
次に、レーザ光の位置をＥに移動する。この位置では、ＤＶＤのビーム１０２の焦点が光記録媒体の表面に達し、表面の保護膜のＳ字が検出される。次に、レーザ光の位置をＦに移動する。この位置では、ＤＶＤのビーム１０２の焦点が光記録媒体の第１層目の記録層に到達し、第１層目の記録層のＳ字（Ｑ１）が検出される。次に、レーザ光の位置をＧに移動する。この位置では、ＤＶＤのビーム１０２の焦点が光記録媒体の第２層目の記録層に到達し、第２層目の記録層のＳ字（Ｑ２）が検出される。次に、レーザ光の位置を光記録媒体と最も近接した点である最近接点Ｈに移動する。この位置では、レーザ光の焦点は光記録媒体の記録層に合っていない。
【０００６】
そして再びレーザ光の位置を最近接点であるＨから最離間点Ａに移動し、ＣＤのビーム１０１、ＤＶＤのビーム１０２の焦点が光記録媒体の各記録層に合った時に発生するＳ字を検出している。
【０００７】
このように、特許文献１にかかるフォーカス引き込み動作では、レーザ光を最離間点Ａから最近接点Ｈに移動した後、再度最離間点Ａまで離間してＳ字の振幅を計測し焦点の位置（各記録層の位置）を検出している。
【先行技術文献】
【特許文献】
【０００８】
【特許文献１】特開平９−３２６１２３号公報
【発明の概要】
【発明が解決しようとする課題】
【０００９】
しかしながら、特許文献１のように焦点の位置を調べるためにレーザ光を光記録媒体からの最離間点Ａまで遠ざけたり、また、最近接点Ｈまで近づけたりすると、フォーカス引き込みに時間がかかるという問題がある。
【課題を解決するための手段】
【００１０】
本発明にかかる光記録媒体は、複数の記録層が積層された光記録媒体であって、前記各々の記録層はそれぞれ異なる記録密度で情報が記録されている。このように、各記録層の記録密度が異なる光記録媒体を用いることで各記録層を特定することができ、各記録層へのフォーカス引き込み動作を迅速にすることができる。
【００１１】
また、本発明にかかる光記録媒体再生装置は、複数の記録層が積層された光記録媒体の記録層にレーザ光を収束する収束部と、前記記録層で反射された反射光に基づき前記記録層の記録密度に対応した再生クロックを生成する再生クロック生成部と、前記生成された再生クロックのクロック周波数に基づき前記レーザ光が収束されている記録層を特定する記録層特定部と、を有する。このように、各記録層の記録密度に対応した再生クロックに基づきレーザ光が収束されている記録層を特定することができるので、光記録媒体の各記録層へのフォーカス引き込み動作を迅速にすることができる。
【００１２】
また、本発明にかかる光記録媒体記録装置は、複数の記録層が積層された光記録媒体の記録層にレーザ光を収束する収束部と、前記記録層で反射された反射光に基づき、前記レーザ光が収束されている記録層を検出する記録層検出部と、前記検出された記録層に対応した記録密度となるようなクロックを生成するクロック生成部と、前記検出された記録層に情報を書き込む際に、前記クロック生成部で生成されたクロックでレーザ光を駆動する光源駆動部と、を有する。このように、各記録層に応じた記録密度となるようなクロックでレーザ光を駆動することで、各記録層の記録密度が異なる光記録媒体の作製が可能となる。
【００１３】
また、本発明にかかる光記録媒体の再生方法は、複数の記録層が積層された光記録媒体の記録層にレーザ光を収束し、前記記録層で反射された反射光に基づき前記記録層の記録密度に対応した再生クロックを生成し、前記生成された再生クロックのクロック周波数に基づき前記レーザ光が収束されている記録層を特定する。このように、各記録層の記録密度に対応した再生クロックに基づきレーザ光が収束されている記録層を特定することができるので、光記録媒体の各記録層へのフォーカス引き込み動作を迅速にすることができる。
【００１４】
また、本発明にかかる光記録媒体の記録方法は、複数の記録層が積層された光記録媒体の記録層にレーザ光を収束し、前記記録層で反射された反射光に基づき、前記レーザ光が収束されている記録層を検出し、前記検出された記録層に対応する記録密度となるようなクロックを生成し、前記生成されたクロックでレーザ光を駆動し、前記検出された記録層に情報を書き込む。このように、各記録層に応じた記録密度となるようなクロックでレーザ光を駆動することで、各記録層の記録密度が異なる光記録媒体の作製が可能となる。
【発明の効果】
【００１５】
本発明により、複数の記録層を有する光記録媒体の各記録層へのフォーカス引き込み動作を迅速にすることができる光記録媒体、光記録媒体再生装置、及び光記録媒体記録装置の提供が可能となる。
【図面の簡単な説明】
【００１６】
【図１】実施の形態１にかかる光記録媒体再生装置を示すブロック図である。
【図２】実施の形態１にかかる光記録媒体を示す断面図である。
【図３】実施の形態１にかかる光記録媒体再生装置の動作原理を説明するための図である。
【図４】実施の形態１にかかる光記録媒体再生装置を構成する信号処理部の一例を示すブロック図である。
【図５】実施の形態１にかかる光記録媒体再生装置の動作を説明するためのフローチャートである。
【図６】実施の形態１にかかる光記録媒体再生装置のフォーカス引き込み動作を説明するための図である。
【図７】実施の形態２にかかる光記録媒体記録装置を示すブロック図である。
【図８】実施の形態２にかかる光記録媒体記録装置の動作を説明するためのフローチャートである。
【図９】背景技術を説明するための図である。（ａ）は、レーザ光と光記録媒体の位置関係（ＵＰ／ＤＯＷＮ）と、このときのフォーカスエラー信号（ＦＥ信号）を示す図である。（ｂ）は、レーザ光と光記録媒体の記録層との位置関係を示す図である。
【発明を実施するための形態】
【００１７】
実施の形態１
以下、図面を参照して本発明の実施の形態１について説明する。
図１は本実施の形態にかかる光記録媒体再生装置を示すブロック図である。また、図２は本実施の形態にかかる光記録媒体再生装置に用いられる光記録媒体を示す断面図である。まず、図２に示す光記録媒体について説明する。図２に示す光記録媒体は、ディスク基板５１上に積層された第１の記録層５２、第２の記録層５３、第３の記録層５４を備える。第１の記録層５２と第２の記録層５３との間にはスペーサ層５６が形成されており、また、第２の記録層５３と第３の記録層５４との間にはスペーサ層５７が形成されている。また、第１の記録層５２上には保護層５５が形成されている。
【００１８】
本実施の形態にかかる光記録媒体の各々の記録層５２、５３、５４はそれぞれ異なる記録密度で情報が記録される。そして、本実施の形態にかかる光記録媒体再生装置では、各記録層５２、５３、５４の記録密度の違いから、各記録層５２、５３、５４のうちレーザ光が収束されている記録層、つまり、情報を再生している記録層を識別している。ここで、記録密度とは単位面積当たりの情報量であり、各記録層５２、５３、５４に記録されている情報量に対応する。また、記録密度は記録線密度で表すこともできる。この場合、記録線密度とは単位長さ当たりの情報量であり、単位時間にレーザ光が通過する長さ当たりの情報量である。
【００１９】
また、上記の記録密度や記録線密度は記録層に形成されているピットの単位ピット長（つまり最短のピット長）と関連しており、単位ピット長が長くなると記録密度や記録線密度は低下し、単位ピット長が短くなると記録密度や記録線密度は増加する。
本実施の形態にかかる光記録媒体では、異なる単位ピット長で各記録層５２、５３、５４に情報を記録している。そして、光記録媒体再生装置で各記録層５２、５３、５４に形成された単位ピット長を測定し、この測定結果に基づいて再生している記録層を識別している。本実施の形態において、単位ピット長の測定にはピット長に応じて生成される再生クロックが用いられる。
【００２０】
また、各記録層５２、５３、５４の記録密度は各記録層で異なっていればよく、記録密度の高い記録層や記録密度の低い記録層の位置は特に限定されることはない。また、図２では例として記録層が３層の光記録媒体を示したが、光記録媒体の記録層は２層以上であればよい。
【００２１】
次に、本実施の形態にかかる光記録媒体再生装置について図１を用いて説明する。本実施の形態にかかる光記録媒体再生装置は、複数の記録層が積層された光記録媒体５０の記録層にレーザ光１５を収束する収束部１４と、記録層で反射された反射光に基づき記録層の記録密度に対応した再生クロックを生成する再生クロック生成部２１と、生成された再生クロックのクロック周波数に基づきレーザ光が収束されている記録層を特定する記録層特定部２２と、を少なくとも有する。以下、本実施の形態にかかる光記録媒体再生装置について詳細に説明する。
【００２２】
図１に示すように、本実施の形態にかかる光記録媒体再生装置は、光学ピックアップ１、信号処理部２、システム制御回路３、スピンドルモータ駆動回路４、スピンドルモータ８、光源駆動回路５、光学ピックアップ駆動回路６、スレッドモータ駆動回路７、スレッドモータ９、ガイドレール１２、ターンテーブル１０を有する。
【００２３】
光学ピックアップ１は、光記録媒体５０のトラックにアクセスし、信号の読み取りを行なう。光学ピックアップ１は、レーザ光１５を照射する光源１３と、光源から照射されたレーザ光１５を収束し、光記録媒体５０の各記録層に焦点を合わせる収束部１４を有する。また、光学ピックアップ１は、トラッキング機構や光検出器を備えている（不図示）。
【００２４】
光源１３は光源駆動回路５を介してシステム制御回路３により発光・消光が制御される。また、光学ピックアップ１が備える収束部１４やトラッキング機構（不図示）は光学ピックアップ駆動回路６を介してシステム制御回路３により制御される。
【００２５】
光記録媒体５０はスピンドルモータ８の回転軸に結合されているターンテーブル１０に設置され、スピンドルモータ８を用いて回転される。スピンドルモータ８は例えばＤＣモータで構成され、スピンドルモータ駆動回路４を介してシステム制御回路３により制御される。スレッドモータ９は、システム制御回路３によりスレッドモータ駆動回路７を介して駆動制御され、光学ピックアップ１をガイドレール１２に沿って光記録媒体５０の半径方向に移動する。スレッドモータ９には、例えばステッピングモータを用いることができる。
【００２６】
信号処理部２は、光ピックアップ１が備える光検出器（不図示）から出力された信号を入力する。再生クロック生成部２１は、光記録媒体の記録層で反射された反射光に基づき記録層の記録密度（単位ピット長）に対応した再生クロックを生成する。再生クロックの生成については後で詳細に説明する。また、記録層特定部２２は、生成された再生クロックに基づきレーザ光が収束されている記録層を特定する。例えば、記録層特定部２２は、再生クロックと記録層とを対応づけたテーブルを予めメモリ（不図示）に格納しておき、再生クロック生成部２１で生成された再生クロックを入力し、このテーブルを参照して記録層を特定することができる。特定された記録層の情報は、システム制御回路３に出力される。
【００２７】
また、信号処理部２は光検出器から出力された信号に基づき再生データを生成し出力する。また、信号処理部２は光検出器から出力された信号に基づきトラッキング信号を生成し、システム制御回路３に出力する。システム制御回路３は、トラッキング信号に基づいて光学ピックアップ駆動回路６を制御し、光学ピックアップ１を駆動する。
【００２８】
図４は、本実施の形態にかかる光記録媒体再生装置の信号処理部２の一例を示すブロック図である。図４に示す信号処理部２は、ＲＦ信号の周波数特性を補正するイコライザ（ＥＱ）２３、ＲＦ信号の帯域を制限するフィルタ（ＦＬＴ）２４、ＲＦ信号のレベルを正規化するＡＧＣ（Automatic Gain Control）２５、再生クロックを生成するＰＬＬ２６、ビタビ検出器２７、周波数弁別器２８を有する。図４に示すように、信号処理部２に入力されたＲＦ信号は、再生データ生成部、つまりＥＱ２３、ＦＬＴ２４、ＡＧＣ２５、ＰＬＬ２６、ビタビ検出器２７で処理されて再生データが生成される。また、信号処理部２に入力されたＲＦ信号は、ＥＱ２３、ＦＬＴ２４、ＡＧＣ２５、ＰＬＬ２６、周波数弁別器２８で処理されて層番号信号が生成される。
【００２９】
次に、本実施の形態にかかる光記録媒体再生装置の動作原理について図３を用いて説明する。図３（ａ）〜図３（ｃ）は、光記録媒体の記録層に形成されているピット長と、これにより生成されるデータパルス、このデータパルスにより生成される再生クロックの関係を示している。この場合、図３（ａ）〜図３（ｃ）では、同一のデータ量のデータが記録層に記録されている。
【００３０】
図３（ａ）〜図３（ｃ）では、同一の部分にピットが形成されているが、光記録媒体の記録層に形成されているピットの単位ピット長が異なる。つまり、図３（ａ）ではピット７１のピット長は２Ｔであり、図３（ｂ）ではピット７２のピット長は２Ｔ'であり、図３（ｃ）ではピット７３のピット長は２Ｔ''である。このとき、Ｔ＜Ｔ'＜Ｔ''の関係があるので、単位ピット長も図３（ａ）の単位ピット長、図３（ｂ）の単位ピット長、図３（ｃ）の単位ピット長の順に長くなる。そして、図３（ａ）の単位ピット長は最も短いので、記録密度（記録線密度）は最も大きい。逆に、図３（ｃ）の単位ピット長は最も長いので、記録密度（記録線密度）は最も小さい。
【００３１】
図３（ａ）に示すように、光記録媒体再生装置の信号処理回路２は、光記録媒体の記録層に形成されたピットに基づいてデータパルス信号を生成する。図３（ａ）に示すデータパルス信号は、ピットが形成されている部分でアクティブ状態となり、ピットが形成されていない部分で非アクティブ状態となる。なお、ピットが形成されている部分で非アクティブ状態となり、ピットが形成されていない部分でアクティブ状態となるように構成してもよい。
【００３２】
そして、本実施の形態にかかる信号処理回路２が備える再生クロック生成部２１は、データパルス信号から再生クロックを生成する。このようにして、光記録媒体の記録層に形成されたピットに基づいて再生クロックが生成される。図３（ｂ）と図３（ｃ）の場合も同様に再生クロックが生成される。
【００３３】
図３（ａ）〜図３（ｃ）に示すように、生成された再生クロックの周波数は、それぞれの記録層の単位ピット長に対応している。つまり、単位ピット長は図３（ａ）、図３（ｂ）、図３（ｃ）の順に長くなり、これに対応して再生クロックの周波数が、図３（ａ）、図３（ｂ）、図３（ｃ）の順に小さくなる。この場合、記録密度が最も大きい図３（ａ）の場合に再生クロックの周波数が最も大きく、記録密度が最も小さい図３（ｃ）の場合に再生クロックの周波数が最も小さくなる。
【００３４】
そして、本実施の形態にかかる信号処理回路２が備える記録層特定部２２は、この再生クロックの周波数に基づいて、レーザ光が収束されている記録層を特定する。
【００３５】
尚、記録層を特定する際に、所定のデータ量のデータを読み込むのにかかる時間を用いてもよい。例えば、図３（ａ）〜図３（ｃ）では同一のデータ長（１４Ｔ）のデータが記録層に形成されている場合を示すが、これらのデータを読み込むのに、図３（ａ）の場合はｔ５、図３（ａ）の場合はｔ５'、図３（ａ）の場合はｔ５''の時間を要する。よって、これらの時間を測定することで、各記録層を特定することができる。
【００３６】
次に、図１、図５を用いて本実施の形態にかかる光記録媒体再生装置の記録層特定処理の動作について説明する。図５は、本実施の形態にかかる光記録媒体再生装置の動作を示すフローチャートである。まず、光記録媒体５０をターンテーブルに設置した後、スピンドルモータ８を駆動し、光記録媒体５０を回転させる（ステップＳ１）。次に、光源１３を駆動しレーザ光１５を光記録媒体５０に照射する（ステップＳ２）。次に、光記録媒体５０からの反射光を光検出器（不図示）で検出し、第１の記録層５２、第２の記録層５３、第３の記録層５４うちのいずれかの記録層の信号を検出したか判断する（ステップＳ３）。記録層の信号の検出は、例えば光検出器で反射光を検出したか否かで判断することができる。記録層の信号が検出されない場合は、レーザ光のフォーカス位置を調整し（ステップＳ４）、再度記録層の信号を検出したか判断する（ステップＳ３）。ステップＳ３とステップＳ４の動作は、記録層の信号が検出されるまで繰り返される。
【００３７】
記録層の信号が検出された場合、再生クロック生成部２１は検出された記録層の信号に基づいて再生クロックを生成する（ステップＳ５）。ここで、ステップＳ３における記録層の信号の検出は、再生クロック生成部２１で再生クロックが生成されたか否かで判断してもよい。次に、記録層特定部２２は生成された再生クロックに基づきレーザ光が収束されている記録層を特定する（ステップＳ６）。
【００３８】
次に、レーザ光のフォーカス位置を調整する処理（図５のステップＳ４）について図６を用いて説明する。図６は光記録媒体５０の各記録層５２、５３、５４とレーザ光１５の焦点１６との位置関係を説明するための図である。図６において、位置６１は保護層５５の表面、位置６２は第１の記録層５２と焦点が合う位置、位置６３は第２の記録層５３と焦点が合う位置、位置６４は第３の記録層５４と焦点が合う位置である。
【００３９】
レーザ光１５の焦点１６の位置が図６に示す位置６２の場合（Ｂ）、レーザ光１５は第１の記録層５２に収束されている。また、レーザ光１５の焦点１６の位置が位置６３の場合（Ｄ）、レーザ光１５は第２の記録層５３に収束されている。また、レーザ光１５の焦点１６の位置が位置６４の場合（Ｆ）、レーザ光１５は第３の記録層５４に収束されている。このような場合、図５に示すステップＳ３において、記録層の信号が検出される。
【００４０】
一方、レーザ光１５の焦点１６の位置が位置６１と位置６２の間にある場合（Ａ）、記録層の信号が検出されない。この場合は、レーザ光１５の焦点１６の位置を位置６２に移動する必要がある。同様に、レーザ光１５の焦点１６の位置が位置６２と位置６３の間にある場合（Ｃ）、レーザ光１５の焦点１６の位置を位置６２または位置６３に移動する必要がある。同様に、レーザ光１５の焦点１６の位置が位置６３と位置６４の間にある場合（Ｅ）、レーザ光１５の焦点１６の位置を位置６３または位置６４に移動する必要がある。
【００４１】
例えば、レーザ光１５の焦点１６の位置が位置６２と位置６３の間にある場合（Ｃ）やレーザ光１５の焦点１６の位置が位置６３と位置６４の間にある場合（Ｅ）、記録層の焦点位置にレーザ光１５の焦点１６の位置を合わせるには、各記録層の間隔ｄ以内の距離だけ焦点位置を上下に移動すればよい。このように、初期状態でレーザ光１５の焦点１６の位置が、位置６２（つまり、最外面の記録層の位置）から位置６４（つまり、最内面の記録層の位置）の間となるように予め設定することで、各記録層に焦点を合わせるために必要な焦点の移動距離を、各記録層の間隔ｄ以内とすることができる。
【００４２】
また、例えば第１の記録層５２にレーザ光を収束しようとした場合であっても、レーザ光の初期位置によっては他の記録層（例えば、第２の記録層５３）にレーザ光が収束する場合もある。この場合、図１の信号処理部２は第２の記録層５３を特定したことを示す信号をシステム制御回路３に出力する。システム制御回路３はレーザ光が収束されている記録層が第１の記録層でないと判断する。そして、システム制御回路３は第１の記録層にレーザ光が収束されるように、収束部１４を制御する（フォーカスジャンプ）。この場合、例えば各記録層の間隔ｄに関する情報を予めメモリ等に格納しておくことで、システム制御回路３は第２の記録層から第１の記録層へ移動する際に距離ｄだけレーザ光の収束位置を下方向へ移動するように収束部１４を制御することができる。
【００４３】
同様に各記録層の間隔ｄに関する情報を予めメモリ等に格納することで、各記録層へレーザ光の焦点を移動するために必要な移動距離を推定することができ、例えば第１の記録層から第３の記録層へ瞬時に移動することが可能となる。
【００４４】
また、本実施の形態にかかる発明は、例えばＣＬＶ（Constant Linear Velocity）フォーマットやＣＡＶ（Constant Angular Velocity）フォーマットの光記録媒体に用いることができる。ここで、ＣＬＶフォーマットは、光記録媒体の半径位置に応じて光記録媒体を回転させているスピンドルモータの回転数を変化させ、再生トラックの読取り線速度が一定となるように制御する方式であり、同一記録層の記録周波数は内周部分と外周部分で同一となる。一方、ＣＡＶフォーマットは、光記録媒体を一定の角速度で回転させる方式であり、光記録媒体の回転速度が常に一定であるため、同一記録層の記録周波数は内周部分に比べて外周部分で高くなる。
【００４５】
ＣＬＶフォーマット、ＣＡＶフォーマットの光記録媒体のいずれにおいても、実質的に読み出されるデータパルスは、図３（ａ）〜図３（ｃ）に示すようになる。本実施の形態にかかる発明では、各記録層のデータパルスから得られる再生クロックが異なれば各記録層を特定できるので、実際に記録層に形成されるピットの形状は各フォーマットで異なっていてもよい。
【００４６】
例えば、ＣＡＶフォーマットでは、データパルスが同一となるピットのピット長は、内周部分では短く、外周部分では長くなり、内周部分に比べて外周部分の記録密度が低くなる。
【００４７】
また、本実施の形態にかかる発明では、記録層特定部２２は記録層を特定する際に、スピンドルモータ８の回転数（回転速度でもよい）の情報を用いてもよい。スピンドルモータ８の回転数の情報は、回転数検出部（不図示）を用いて検出することができる。図３（ａ）〜図３（ｃ）で説明したように、再生クロック生成部２１で生成される再生クロックの周波数は、記録層に照射されるレーザ光１５の線速度により変動する。よって、このレーザ光１５の線速度に対応するスピンドルモータ８の回転数の情報を用いることで、より高精度にレーザ光が収束されている記録層を特定することができる。
特に、ＣＬＶフォーマットでは、光記録媒体の半径位置に応じて光記録媒体を回転させているスピンドルモータの回転数を変化させ、再生トラックの読取り線速度が一定となるように制御しているので、この回転数の情報を用いることで、より高精度にレーザ光が収束されている記録層を特定することができる。つまり、ＣＬＶフォーマットでは、スピンドルモータ８の回転数に応じて記録される周波数を特定することができる。そして、この特定された周波数と、標準値（例えば、３つの記録層の周波数の値のうち中間の値）とを比較し、特定された周波数が標準値よりも高いか、低いか、又は同一であるかを判別することで、記録層を特定することができる。
【００４８】
以上で説明したように、本実施の形態にかかる光記録媒体では各記録層の記録密度が異なるように情報を記録している。そして、本実施の形態にかかる光記録媒体再生装置では各記録層の異なる記録密度に基づき記録層を特定している。これにより、特許文献１で説明したレーザ光の引き込みのように、レーザ光を最離間点から最近接点に移動した後、再度最離間点まで離間してＳ字の振幅を計測し焦点の位置（各記録層の位置）を検出するという動作が不要となる。
また、本実施の形態にかかる発明では、各記録層の記録密度で記録層を特定しているので、光記録媒体の管理領域まで光ピックアップを移動する必要がない（ただし、本実施の形態にかかる発明において、光記録媒体の各記録層に設けられた管理領域の記録周波数の違いに基づき各記録層を特定することを排除するわけではない。）
よって、本実施の形態により、複数の記録層を有する光記録媒体の各記録層へのフォーカス引き込み動作を迅速にすることができる光記録媒体、及び光記録媒体再生装置の提供が可能となる。
【００４９】
実施の形態２
以下、図面を参照して本発明の実施の形態２について説明する。図７は本実施の形態にかかる光記録媒体記録装置を示すブロック図である。本実施の形態にかかる光記録媒体記録装置に用いられる光記録媒体も、実施の形態１で説明した図２に示す光記録媒体と同様の構成である。
【００５０】
本実施の形態にかかる光記録媒体記録装置は、複数の記録層が積層された光記録媒体５０の記録層にレーザ光１５を収束する収束部１４と、記録層で反射された反射光に基づき、レーザ光が収束されている記録層を検出する記録層検出部３２と、検出された記録層に応じた記録密度となるようなクロックを生成するクロック生成部３４と、記録層に情報を書き込む際に、クロック生成部３４で生成されたクロックでレーザ光を駆動する光源駆動回路５と、を少なくとも有する。以下、本実施の形態にかかる光記録媒体記録装置について詳細に説明する。
【００５１】
図７に示すように、本実施の形態にかかる光記録媒体再生装置は、光学ピックアップ１、システム制御回路３、ウォブル信号抽出回路３１、記録層検出部３２、記録データバッファ３３、クロック生成部３４、スピンドルモータ駆動回路４、スピンドルモータ８、光源駆動回路５、光学ピックアップ駆動回路６、スレッドモータ駆動回路７、スレッドモータ９、ガイドレール１２、ターンテーブル１０を有する。
【００５２】
光学ピックアップ１は、レーザ光１５を照射する光源１３と、光源から照射されたレーザ光１５を収束し、光記録媒体５０の各記録層に焦点を合わせる収束部１４を有する。また、光学ピックアップ１は、トラッキング機構や光検出器を備えている（不図示）。
光源１３は光源駆動回路５を介してシステム制御回路３により発光・消光が制御される。また、光学ピックアップ１が備える収束部やトラッキング機構（不図示）は光学ピックアップ駆動回路６を介してシステム制御回路３により制御される。光記録媒体の記録層への情報の記録は、記録層へ照射されるレーザ光１５の強弱（発光・消光）を用いて行なわれる。
【００５３】
ウォブル信号抽出回路３１は、光記録媒体５０（本実施の形態では、書き込み可能な光記録媒体）に埋め込まれたウォブル信号を抽出し、記録層検出部３２にこのウォブル信号を出力する。記録層検出部３２は、ウォブル信号抽出回路３１で抽出されたウォブル信号に基づいて、ウォブルの変調により埋め込まれた層情報から記録層を検出し、システム制御回路３へ層情報を出力する。ここで、記録層検出部３２で特定される記録層は、レーザ光１５が収束されている記録層である。
【００５４】
また、記録データバッファ３３は光記録媒体に記録するデータを一時的に保存する回路である。また、クロック生成部３４は、光記録媒体の記録層に記録するデータの記録密度に対応するクロック周波数のクロックを生成する回路である。クロック生成部３４で生成されるクロックの周波数は、記録層毎に異なるクロック周波数となる。
【００５５】
光記録媒体５０はスピンドルモータ８の回転軸に結合されているターンテーブル１０に設置され、スピンドルモータ８を用いて回転される。スピンドルモータ８は例えばＤＣモータで構成され、スピンドルモータ駆動回路４を介してシステム制御回路３により制御される。スレッドモータ９は、システム制御回路３によりスレッドモータ駆動回路７を介して駆動制御され、光学ピックアップ１をガイドレール１２に沿って光記録媒体５０の半径方向に移動する。スレッドモータ９には、例えばステッピングモータを用いることができる。
【００５６】
次に、本実施の形態にかかる光記録媒体記録装置の動作について、図８を用いて説明する。まず、光記録媒体５０（書き込み可能な光記録媒体）をターンテーブルに設置する。次に、データを書き込む記録層を決定する（ステップＳ１１）。データを書き込む記録層は、記録データバッファ３３に格納されている記録データや、光記録媒体５０の記録層のうち既にデータが書き込まれている記録層に関する情報などに基づき決定することができる。
【００５７】
次に、スピンドルモータ８を駆動し光記録媒体５０を回転させ、光源１３を駆動しレーザ光１５を光記録媒体５０に照射する。そして、光記録媒体５０からの反射光を光検出器（不図示）で検出し、光記録媒体の記録層に埋め込まれたウォブル信号をウォブル信号抽出回路３１で抽出する（ステップＳ１２）。
【００５８】
次に、記録層検出部３２が、ウォブル信号抽出回路３１で抽出したウォブル信号に基づいて記録層（レーザ光が収束されている記録層）を検出し、検出された記録層に関する情報をシステム制御回路３へ出力する（ステップＳ１３）。システム制御回路３は、記録層検出部３２で検出した記録層と、ステップＳ１１で決定したデータを書き込む記録層とが一致するか判断する（ステップＳ１４）。
【００５９】
記録層検出部３２で検出した記録層と、データを書き込む記録層とが一致しない場合、収束部１４はレーザ光１５のフォーカス位置を調整し、他の記録層にレーザ光１５を収束させる（ステップＳ１５）。そして、前回と同様に、他の記録層のウォブル信号をウォブル信号抽出回路３１で抽出し（ステップＳ１２）、記録層検出部３２で記録層を検出する（ステップＳ１３）。システム制御回路３は、前回と同様に、記録層検出部３２で検出した記録層と、ステップＳ１１で決定したデータを書き込む記録層とが一致するか判断する（ステップＳ１４）。
【００６０】
記録層検出部３２で検出した記録層と、ステップＳ１１で決定したデータを書き込む記録層とが一致した場合、クロック生成部３４はデータを書き込む記録層に対応したクロック周波数を有するクロックを生成する（ステップＳ１６）。ここで、クロック生成部３４で生成されるクロックのクロック周波数は記録層毎に対応している。例えば第１の記録層５２（図２参照）は第１のクロック周波数に、第２の記録層５３は第２のクロック周波数に、第３の記録層５４は第３のクロック周波数に、それぞれ対応しており、これらの関係は例えばメモリ等に格納されている。
【００６１】
次に、光源駆動回路５は、生成されたクロックに基づきレーザ光１５を駆動し、光記録媒体の記録層にデータを書き込む（ステップＳ１７、ステップＳ１８）。ここで、例えば上記第１のクロック周波数、第２のクロック周波数、第３のクロック周波数の順にクロック周波数が小さくなる場合、各記録層に形成されるピットの単位ピット長は第１の記録層５２に形成される単位ピット長、第２の記録層５３に形成される単位ピット長、第３の記録層５４に形成される単位ピット長の順に長くなる。この場合は、各記録層の記録密度は、第１の記録層５２の記録密度、第２の記録層５３の記録密度、第３の記録層５４の記録密度の順に小さくなる。
【００６２】
このように、本実施の形態では各記録層に対応したクロック周波数のクロックを生成し、このクロックに基づいてレーザ光を駆動して記録層に情報を書き込むことで、各記録層の記録密度が異なる光記録媒体を形成している。
【００６３】
次に、書き込むべきデータが全て書き込まれた場合は、データ書き込み処理を終了する。また、書き込むべきデータが残っている場合は、ステップＳ１１へ戻り再度データ書き込み処理を実行する（ステップＳ１９）。
【００６４】
本実施の形態にかかる発明も、実施の形態１の場合と同様に、ＣＬＶフォーマットやＣＡＶフォーマットの光記録媒体に用いることができる。
【００６５】
また、本実施の形態にかかる発明では、データを光記録媒体の記録層に書き込む際に、スピンドルモータ８の回転数（回転速度でもよい）の情報を参照してもよい。スピンドルモータ８の回転数の情報は、回転数検出部（不図示）を用いて検出することができる。光記録媒体の記録層に形成されるピット長は、レーザ光を駆動するクロック周波数とスピンドルモータ８の回転数で決定される。よって、スピンドルモータ８の回転数の情報を用いることで、より高精度に所定の記録密度を有する光記録媒体を作製することが可能となる。
【００６６】
特に、ＣＬＶフォーマットでは、光記録媒体の半径位置に応じて光記録媒体を回転させているスピンドルモータの回転数を変化させているので、この回転数の情報を用いることで、より高精度に所定の記録密度を有する光記録媒体を作製することが可能となる。
【００６７】
ＣＬＶフォーマットでは、スピンドルモータ８の回転数に応じて記録する周波数を変えることができる。ここで、スピンドルモータ８の回転数と記録する周波数とを、例えば記録する周波数をスピンドルモータ８の回転の周波数のＮ倍と予め対応づけておく。そして、このＮ倍の周波数に対して、記録層毎に例えば第１の記録層は＋１％、第２の記録層は標準０％、第３の記録層は−１％のようにスピンドルモータ８の回転数を切り替えることで、記録層に応じた周波数で書き込みをすることができる。
【００６８】
以上で説明したように、本実施の形態にかかる光記録媒体記録装置を用いることで、各記録層に異なる記録密度で情報を記録することができる。
【００６９】
以上、本発明を上記実施形態に即して説明したが、上記実施形態の構成にのみ限定されるものではなく、本願特許請求の範囲の請求項の発明の範囲内で当業者であればなし得る各種変形、修正、組み合わせを含むことは勿論である。
【符号の説明】
【００７０】
１  光学ピックアップ
２  信号処理部
３  システム制御回路
４  スピンドルモータ駆動回路
５  光源駆動回路
６  光学ピックアップ駆動回路
７  スレッドモータ駆動回路
８  スピンドルモータ
９  スレッドモータ
１０  ターンテーブル
１２  ガイドレール
１３  光源
１４  収束部
１５  レーザ光
２１  再生クロック生成部
２２  記録層特定部
２３  イコライザ（ＥＱ）
２４  フィルタ（ＦＬＴ）
２５  ＡＧＣ
２６  ＰＬＬ
２７  ビタビ検出器
２８  周波数弁別器
３１  ウォブル信号抽出回路
３２  記録層検出部
３３  記録データバッファ
３４  クロック生成部
５０  光記録媒体
５１  ディスク基板
５２  第１の記録層
５３  第２の記録層
５４  第３の記録層
５５  保護層
５６、５７  スペーサ層
６１  保護層の表面の位置
６２  第１の記録層と焦点が合う位置
６３  第２の記録層と焦点が合う位置
６４  第３の記録層と焦点が合う位置
【図１】
2011108318.tif 000003
【図２】
2011108318.tif 000004
【図３】
2011108318.tif 000005
【図４】
2011108318.tif 000006
【図５】
2011108318.tif 000007
【図６】
2011108318.tif 000008
【図７】
2011108318.tif 000009
【図８】
2011108318.tif 000010
【図９】
2011108318.tif 000011